(57)【特許請求の範囲】
【請求項１】
器具本体と、器具本体に並設されて放出光を放出する半導体光源と、半導体光源に電源を供給する複数の電源端子と、半導体光源からの放出光を制御する制御信号が入力される複数の信号端子とを備え、器具本体から導出された電源端子及び信号端子は建物に設置した板体に配設された固定電源端子及び固定信号端子にそれぞれ電気的に接続される照明器具であって、前記電源端子及び前記信号端子が電気的に接続された状態で前記板体に取付けられる取付部は、前記器具本体の両端部に設けられ、前記電源端子及び信号端子は、器具本体の中心から非対象の位置に配置されて、前記器具本体から導出されたことを特徴とする照明器具。
【請求項２】
前記電源端子の端子間距離と、信号端子の端子間距離がそれぞれ異なるようにして前記器具本体から導出されたことを特徴とする請求項１記載の照明器具。
【請求項３】
赤外線又は照度を検知する検知センサは、前記器具本体に設けられたことを特徴とする請求項１に記載の照明器具。
【発明の詳細な説明】
【０００１】
【発明の属する技術分野】
本発明は、建物の屋内に設置された天井板又は壁板等の板体に取付けられて、複数の半導体光源を光源とする照明器具に関するものである。
【０００２】
【従来の技術】
従来、この種の照明器具として、図７及び図８に示す構成のものが存在する。このものは、器具本体Ａと、器具本体Ａに並設されて放出光を放出する複数の半導体光源Ｂと、半導体光源Ｂに電源を供給する電源用コネクタＣと、半導体光源Ｂからの放出光を制御する制御信号が入力される信号用コネクタＤとを備えている。
【０００３】
さらに詳しくは、器具本体Ａは略正方形状に形成され、取付孔Ａ1が四隅に設けられて、その取付孔Ａ1に雄ねじを挿通してねじ止めすることによって、建物に設置された天井又は壁板等の板体に取付けられた後、電源用コネクタＣが板体に配設された電源線に、信号用コネクタＤが同様に板体に配設された信号線にそれぞれ電気的に接続される。
【０００４】
【発明が解決しようとする課題】
上記した従来の照明器具では、器具本体Ａを建物の板体に取付けて、半導体光源Ｂから放出される放出光でもって屋内を照らすことができる。
【０００５】
しかしながら、器具本体Ａを板体に取付ける取付作業を行った後、電源用コネクタＣ及び信号用コネクタＤを、それぞれ電源線及び信号線に電気的に接続する配線作業を行わなければならず、作業が二段階になって煩雑になるという問題があった。また、電源用コネクタＣ及び信号用コネクタＤをそれぞれ必要とするために、コストアップを招くという別の問題があった。
【０００６】
本発明は、上記問題点に鑑みてなしたもので、その目的とするところは、器具本体の取付作業、及び配線作業を短時間でかつ容易にでき、更に電源端子と固定電源端子、及び信号端子と固定信号端子との電気的接続を誤接続することなく、それぞれ正しく接続することができる照明器具を提供することにある。
【０００７】
【課題を解決するための手段】
上記した課題を解決するために、請求項１記載のものは、器具本体と、器具本体に並設されて放出光を放出する半導体光源と、半導体光源に電源を供給する複数の電源端子と、半導体光源からの放出光を制御する制御信号が入力される複数の信号端子とを備え、器具本体から導出された電源端子及び信号端子は建物に設置した板体に配設された固定電源端子及び固定信号端子にそれぞれ電気的に接続される照明器具であって、前記電源端子及び前記信号端子が電気的に接続された状態で前記板体に取付けられる取付部は、前記器具本体の両端部に設けられ、前記電源端子及び信号端子は、器具本体の中心から非対象の位置に配置されて、前記器具本体から導出された構成にしてある。
【０００８】
請求項２記載のものは、請求項１記載のものにおいて、前記電源端子の端子間距離と、信号端子の端子間距離がそれぞれ異なるようにして前記器具本体から導出された構成にしてある。
【０００９】
請求項３記載のものは、請求項１記載のものにおいて、赤外線又は照度を検知する検知センサは、前記器具本体に設けられた構成にしてある。
【００１０】
請求項４記載のものは、請求項１乃至請求項３のいづれかに記載のものにおいて、  赤外線又は照度を検知する検知センサは前記器具本体に設けられた構成にしてある。
【００１１】
【発明の実施の形態】
本発明の第１実施形態を図１乃至図６に基づいて以下に説明する。
【００１２】
１は器具本体で、成形された樹脂により、略直方体状に形成され、互いに直交する一軸１ａ及び他軸１ｂを有して、両端部に貫通孔１１が設けられて、絶縁性の樹脂からなり３次元的に立体成型された成形基板１２、いわゆるＭＩＤ（Ｍｏｌｄｅｄ  Ｉｎｔｅｒｃｏｎｎｅｃｔｉｏｎ  Ｄｅｖｉｃｅ）が装着される。そして、凹状に形成されて光を反射する複数の反射部１２ａが成形基板１２に３列に並設されるとともに、コーティング膜が各反射部１２ａに設けられて反射面を形成する。
【００１３】
２は半導体光源で、ベアチップ状に形成されたいわゆるＬＥＤであり、消費電力が少なく長寿命特性を有し、透明樹脂２１によって封止され外部から保護されて、複数が反射部１２ａの中心位置に配置され器具本体１に並設されて、それぞれが放出光を放出する。
【００１４】
３は電源端子で、銅又は銅合金により、板状に形成され、器具本体１から導出され、他軸１ｂに対して一方側へ、器具本体１の一軸１ａに対して対向した状態で対称に２個配設されて、半導体光源２に電源を供給する。このものについては、詳しく後述する。
【００１５】
４は信号端子で、銅又は銅合金により、板状に形成され、他軸１ｂに対して他方側へ配置され、器具本体１の一軸１ａに対して対向した状態で対称に２個、一軸１ａ上に１個の合計３個配設されて、半導体光源２からの放出光を制御する制御信号が入力される。このものについても、詳しく後述する。
【００１６】
５は取付部で、金属により、棒状に形成されて回動する回動軸５１と、板状の係止片５２と、円形状で切り欠き溝５３ａを有した円形板５３とを設け、係止片５２が回動軸５１の一端部から両直交方向へそれぞれ突設されるとともに、円形板５３が回動軸５１の他端部に固着される。そして、回動軸５１が器具本体１の両端部に設けられた両貫通孔１１，１１にそれぞれ挿通されて、回動自在に回動する。
【００１７】
６は赤外線検知センサで、焦電型の検知素子により、器具本体１の中心部に１個設置されて、人体が放出する赤外線を検知して、人を検知したとき検知信号を信号端子４に出力する。
【００１８】
固定電源端子７は、銅又は銅合金により、図４及び図５に示すように、板状の基台７１と、板状に形成されて２個の電源弾性ばね７２とを有し、各電源弾性ばね７２が基台７１から突設され、空隙を設けて互いに対向し、２個で構成される。各基台７１が建物の屋内側に対する反対側の天井板８に固定されるとともに、建物の屋内に配線された電源線８１に接続される。また、略Ｉ字型に形成された電源端子挿通孔８２が、各電源弾性ばね７２の空隙位置にて２個天井板８に設けられる。
【００１９】
固定信号端子９は、銅又は銅合金により、板状の基台９１と、板状に形成されて２個の信号弾性ばね９２とを有し、各信号弾性ばね９２が基台９１から突設され、空隙を設けて互いに対向し、３個で構成される。各基台９１が建物の屋内側に対する反対側の天井板８に固定されるとともに、建物の屋内に配線された信号線８３に接続される。また、略Ｉ字型に形成された３個の信号端子挿通孔８４が、各信号弾性ばね９２の空隙位置にて天井板８に設けられる。さらに、取付部挿通孔８５が、固定電源端子７及び固定信号端子９の両側へ各１個天井板８に設けられている。
【００２０】
ここで、電源端子３は器具本体１の他軸１ｂに対して一方側へ、一軸１ａに対して対称に２個配設され、信号端子４は他軸１ｂに対して他方側へ、一軸１ａに対して対称に２個、一軸１ａ上に１個の合計３個配設されて、かつ一軸１ａに対する両電源端子３，３間の距離が両信号端子４，４間よりも広く形成される。このように、電源端子３及び信号端子４は、器具本体１の中心から非対象の位置に配置されて、器具本体１から導出されているので、各電源端子３及び各信号端子４は、各固定電源端子７及び各固定信号端子９にそれぞれ間違いなく接続される。
【００２１】
このものの取り扱い、及び操作について、図４乃至図６に基づいて説明する。器具本体１は電源端子３及び信号端子４が、天井板８の電源端子挿通孔８２及び信号端子挿通孔８４に挿通されて、電源弾性ばね７２の空隙及び信号弾性ばね９２の空隙にそれぞれ挿入される。そして、電源弾性ばね７２及び信号弾性ばね９２に接触して、天井板８に配設された固定電源端子７及び固定信号端子９に、すなわち電源線８１及び信号線８３それぞれ電気的に接続される。
【００２２】
次いで、取付部５は係止片５２が天井板８に設けられた取付部挿通孔８５に挿通されて、その状態で回動軸５１が円形板５３に設けられた切り欠き溝５３ａを回転することによって、係止片５２が回動し天井板８と係止して、器具本体１を天井板８に固定し取付ける。
【００２３】
このものの動作について説明する。赤外線検知センサ６は人体が放出する赤外線を検知して、信号端子４を介して、屋内に設置されたコントロール部（図示せず）に赤外線検知信号を出力する。そして、コントロール部は屋内の人間の出入り状態を把握しその出入りを集中管理し、半導体光源２を制御する制御信号を信号端子４に出力して、つまり信号端子４が制御信号を入力されて、半導体光源２はその制御信号に基づいて、放出光を調光又は点滅等の制御をされる。
【００２４】
かかる第１実施形態の照明器具にあっては、上記したように、天井板８に取付けられる取付部５が器具本体１の両端部に設けられたから、電源端子３及び信号端子４を天井板８に配設された固定電源端子７及び固定信号端子９にそれぞれ電気的に接続し、その状態で取付部５を操作して器具本体１を天井板８に取付けるので、電源端子３及び信号端子４とをそれぞれ電気的に接続する配線作業と、器具本体１を天井板８に取付ける取付作業をほぼ同時に行って、短時間にかつ効率的に作業を行うことができる。
【００２５】
また、取付部５が回動軸５１と、その回動軸５１から両直交方向へ突設された係止片５２とを有して形成されたから、係止片５２が天井板８に設けられた取付部挿通孔８５に挿通された状態で回動し天井板８と係止して、容易に取付作業を行うことができる。
【００２６】
また、各前記電源端子３及び各前記信号端子４が器具本体１の所定位置から導出されたから、電源端子３と固定電源端子７、及び信号端子４と固定信号端子９との電気的接続を誤接続することなく、それぞれ正しく接続することができる。
【００２７】
また、赤外線を検知する赤外線検知センサ６が器具本体１に設けられたから、赤外線検知センサ６が人体から放出される赤外線を検知し、赤外線検知信号に基づいて、半導体光源から放出される放出光を自動的に点滅又は調光等の制御をすることができる。
【００２８】
なお、本実施形態では、取付部５を回動する回動軸５１と、その回動軸５１から略直交方向へ突設された係止片５２とで形成したが、電源端子３及び信号端子４が電気的に接続された状態で天井板８に取付けられるものであれば、他の構成で形成された取付部であってもよく、限定されるものではない。
【００２９】
また、赤外線を検知する赤外線検知センサ６を器具本体１に設けたが、周囲の照度を検知する照度検知センサを設けて照度検知信号に基づいて自動的に、半導体光源２から放出される放出光を点滅又は調光等の制御をしてもよく、限定されない。
【００３０】
また、赤外線検知センサ６を器具本体１に設けたが、赤外線検知センサ６を設けずに、信号端子４に入力された制御信号に基づいて半導体光源２からの放出光を制御してもよく、限定されない。
【００３１】
【発明の効果】
請求項１及び請求項２記載のものは、板体に取付けられる取付部が器具本体の両端部に設けられ、電源端子及び信号端子を、器具本体の中心から非対象の位置に配置されて、前記器具本体から導出したので、電源端子及び信号端子を板体に配設された固定電源端子及び固定信号端子にそれぞれ電気的に接続し、その状態で取付部を操作して器具本体を板体に取付けるので、電源端子及び信号端子とをそれぞれ電気的に接続する配線作業と、器具本体を板体に取付ける取付作業をほぼ同時に行って、短時間にかつ効率的に作業を行うことができ、更に電源端子と固定電源端子、及び信号端子と固定信号端子との電気的接続を誤接続することなく、それぞれ正しく接続することができる。
【００３２】
請求項３記載のものは、請求項１又は請求項２記載のものの効果に加えて、赤外線又は照度を検知する検知センサが器具本体に設けられたから、検知センサが人体から放出される赤外線を、又は周囲の照度を検知して、赤外線又は照度を検知した検知信号に基づいて、半導体光源から放出される放出光を自動的に点滅制御又は調光制御することができる。
【００３３】
請求項３記載のものは、請求項１又は請求項２記載のものの効果に加えて、各前記電源端子及び各前記信号端子が器具本体の所定位置から導出されたから、電源端子と固定電源端子、及び信号端子と固定信号端子との電気的接続を誤接続することなく、それぞれ正しく接続することができる。
【００３４】
請求項４記載のものは、請求項１乃至請求項３のいづれかに記載のものの効果に加えて、赤外線又は照度を検知する検知センサが器具本体に設けられたから、検知センサが人体から放出される赤外線を、又は周囲の照度を検知して、赤外線又は照度を検知した検知信号に基づいて、半導体光源から放出される放出光を自動的に点滅制御又は調光制御することができる。
【図面の簡単な説明】
【図１】本発明の第１実施形態を示す正面図である。
【図２】同上の平面図である。
【図３】同上の下面図である。
【図４】同上の固定電源端子及び固定信号端子が配設された天井板の正面図である。
【図５】同上の固定電源端子及び固定信号端子が配設された天井板の平面図である。
【図６】同上の固定電源端子及び固定信号端子が配設された天井板の下面図である。
【図７】従来例を示す正面図である。
【図８】同上の下面図である。
【符号の説明】
１      器具本体
２      半導体光源
３      電源端子
４      信号端子
５      取付部
５１    回動軸
５２    係止片
６      赤外線検知センサ（検知センサ）
７      固定電源端子
８      天井板（板体）
８５    取付部挿通孔
９      固定信号端子
【図１】
0003882298.tif 000002
【図２】
0003882298.tif 000003
【図３】
0003882298.tif 000004
【図４】
0003882298.tif 000005
【図５】
0003882298.tif 000006
【図６】
0003882298.tif 000007
【図７】
0003882298.tif 000008
【図８】
0003882298.tif 000009